(57)【特許請求の範囲】
【請求項１】
処理槽内に気泡を噴出する曝気手段を設け、可撓性を有する紐状の芯材の表面に多数の突起を取付けて、これを螺旋状に巻回して表面に微生物を付着繁殖させる接触材を、処理槽内に設けた縦棒と横棒で構成された支持フレームに間隔をおいて取付けた汚水浄化装置において、前記接触材を支持フレームに間隔をおいて取付ける支持具が、弾性を有する合成樹脂で形成された断面略Ｃ形状をなすフレーム係合部の外周に、挿通孔を開孔した支持片を一体に突設して形成され、前記フレーム係合部を横棒または縦棒に、その長手方向に沿って間隔をおいて嵌合させると共に、前記支持片の挿通孔に接触材の端部を挿通して連結するようにしたことを特徴とする汚水浄化装置の接触材支持具。
【請求項２】
断面略Ｃ形状をなすフレーム係合部の外周の上下に、挿通孔を開孔した支持片を突設したことを特徴とする請求項１記載の汚水浄化装置の接触材支持具。
【発明の詳細な説明】
【０００１】
【発明の属する技術分野】
本発明は、微生物を利用して汚水を浄化する汚水浄化装置の、微生物を付着繁殖させる接触材の支持具に関するものである。
【０００２】
【従来の技術】
一般に、汚水浄化装置は種々の方式があるが、その一つの方法として槽内に微生物を繁殖させて汚水中の有機物を分解する方法がある。この方法において微生物の住家となる接触材を紐状に形成して処理槽内に配置することが行なわれている。この接触材は、その表面積を拡大して効率よく処理するために、表面に多数の突起を設けて螺旋状に形成することが行なわれている。従来の汚水浄化装置は図７に示すように、処理槽１の上部に汚水２の流入口３が設けられ、これと対向する処理槽１の上部に浄化された水が排出される排水口４が設けられている。また処理槽１の底部には、汚水２中に曝気口５から気泡13を噴出するブロワーなどの曝気手段６が設けられている。
【０００３】
また処理槽１の内部には複数本の縦棒７と横棒８を組み合わせた支持フレーム９が設けられ、この上下の横棒８、８の間に間隔をおいて複数本の接触材１０…が接続されている。この接触材１０は図８に示すように、紐状の芯材１１の表面に多数の突起１２を取付けて、これを螺旋状に巻回して表面に微生物を付着繁殖させる構造となっている。
【０００４】
接触材１０の芯材１１は、表面を合成樹脂で被覆した金属線などで形成され、横棒８への取付けは芯材１１の端部を巻き付けて接合していた。また汚水２は曝気などにより乱流を生じるため、この力が接触材１０に加わり、横棒８に巻き付けて取付けた接触材１０の端部が左右にずれて、隣接する接触材１０との間隔が一定にならず、安定した浄化作用ができなくなる問題があった。
【０００５】
【発明が解決しようとする課題】
本発明は上記欠点を除去し、接触材の取付けが容易で確実に固定でき、運転中の汚水の流れによって移動せず、隣接する接触材との間隔を一定に保持して長期間に亘って安定した浄化作用を行なうことができる汚水浄化装置の接触材支持具を提供するものである。
【０００６】
【課題を解決するための手段】
本発明の請求項１記載の汚水浄化装置の接触材支持具は、処理槽内に気泡を噴出する曝気手段を設け、可撓性を有する紐状の芯材の表面に多数の突起を取付けて、これを螺旋状に巻回して表面に微生物を付着繁殖させる接触材を、処理槽内に設けた縦棒と横棒で構成された支持フレームに間隔をおいて取付けた汚水浄化装置において、前記接触材を支持フレームに間隔をおいて取付ける支持具が、弾性を有する合成樹脂で形成された断面略Ｃ形状をなすフレーム係合部の外周に、挿通孔を開孔した支持片を一体に突設して形成され、前記フレーム係合部を横棒または縦棒に、その長手方向に沿って間隔をおいて嵌合させると共に、前記支持片の挿通孔に接触材の端部を挿通して連結するようにしたことを特徴とするものである。
【０００７】
更に請求項２記載の接触材支持具フレームは、断面略Ｃ形状をなすフレーム係合部の外周の上下に、挿通孔を開孔した支持片を突設したことを特徴とするものである。
【０００８】
【発明の実施の形態】
以下本発明の実施の一形態を図１ないし図３を参照して詳細に説明する。図において１５は弾性を有するポリプロピレンなどの合成樹脂で形成された接触材支持具で、断面略Ｃ形状をなすフレーム係合部１６の外周に、接触材１０の端部を挿通して保持する挿通孔１７を開孔した支持片１８を一体に突設したものである。この断面略Ｃ形状をなすフレーム係合部１６の内径ｄは、断面円形をなす横棒８の外径Ｄよりやや小さく形成されている。
【０００９】
上記構成の接触材支持具１５は、図２に示すように断面円形の縦棒７と横棒８を直方体状に組み合わせた支持フレーム９の上下の横棒８、８に取付ける。これは図３に拡大して示すように、接触材支持具１５の断面略Ｃ形状をなすフレーム係合部１６を横棒８に嵌め込むと弾性で開口部が広がり、内径ｄは横棒８の外径Ｄより小さく形成されているので、強固に係合して固定される。この後、接触材１０の芯材１１の両端部を、接触材支持具１５の挿通孔１７に通して折り曲げて接続する。
【００１０】
なお汚水浄化装置の構成は、図２に示すように処理槽１の上部に汚水２の流入口３が設けられ、これと対向する処理槽１の上部に浄化された水が排出される排水口４が設けられ、この手前に仕切板１９が設けられている。また処理槽１の底部には、汚水２中に曝気口５から気泡１３を噴出するブロワーなどの曝気手段６が設けられている。また突起１２は輪状にかぎらず、鈎状、針状でも良く、また材質は合成樹脂繊維を始め、ガラス繊維、炭素繊維など耐食性の有るものが望ましい。
【００１１】
この構造の汚水浄化装置は、図２に示すように流入口３から汚水２が流入すると支持フレーム９に取付けた接触材１０…の間を通って下降し、この時接触材１０の表面の突起１２に付着した微生物と接触して汚水２が浄化される。この場合、曝気手段６により気泡１３が曝気口５から処理槽１内に噴出し、汚水２は矢印のように処理槽１内を上下に対流しながら、接触材１０に触れると乱流となり、汚水２中の有機物が突起１２に付着している微生物と接触し、空気の供給を受けながら時間の経過と共に汚水２中の有機物を分解していく。浄化された水は、処理槽１の内壁と仕切板１９の間を通って排水口４から排出される。
【００１２】
従って曝気されて対流している汚水２には乱流が生じ、この力が接触材１０に加わるが、接触材１０は図３に示すように、横棒８に弾性により係合した接触材支持具１５に接続されているので、左右にずれず隣接する接触材１０との間隔を一定に保持することができる。また接触材１０の取り付けは、芯材１１の端部を接触材支持具１５の外周に突設した支持片１８に開孔した挿通孔１７に通して折り曲げるだけで良いので、取付け作業も容易である。
【００１３】
図４および図５は本発明の他の実施の形態を示すもので、この接触材支持具１５ａは、断面略Ｃ形状をなすフレーム係合部１６の外周の上下に支持片１８、１８を一体に突設し、ここに接触材１０の端部を挿通して保持する挿通孔１７を夫々開孔したものである。
【００１４】
これは図５に示すように、複数本の縦棒７と、上中下３段に横棒８ａ、８ｂ、８ｃを組み合わせた大型の支持フレーム９に取り付けるもので、中段の横棒８ｂに、２個の挿通孔１７、１７を開孔した接触材支持具１５ａを係合させ、上下の横棒８ａ、８ｃには、図１に示す１個の挿通孔１７を開孔した接触材支持具１５、１５を係合させて固定し、この間に２本の接触材１０、１０を接続して縦方向に配置したものである。
【００１５】
また上記説明では支持フレーム９を構成する横棒８が断面円形の場合について説明したが図６に示すように、断面四角形状のものでも、断面略Ｃ形状をなすフレーム係合部１６は確実に係合することができる。
【００１６】
なお上記説明では、接触材１０を支持フレーム９の上下の横棒８、８の間に縦方向に取付けた場合について示したが、縦棒７、７の間に横方向に取付けた構造でも良い。また処理槽１の構造は、仕切板１９がない構造でも良く、また上下を開口して池などの水中に浸漬させ、底面開口部を流入口、上面開口部を排水口とした構造でも良い。
【００１７】
【発明の効果】
以上説明した如く本発明の請求項１に係る汚水浄化装置の接触材支持具によれば、支持フレームに係合する支持具が、弾性を有する合成樹脂で形成された断面略Ｃ形状をなすフレーム係合部の外周に、挿通孔を開孔した支持片を一体に突設して形成されているので、フレーム係合部を支持フレームの横棒または縦棒に、その長手方向に沿って間隔をおいて嵌合させ、支持片の挿通孔に接触材の端部を挿通して連結して固定することにより、接触材の取付けが容易で確実に固定でき、運転中の汚水の流れによって接触材が移動せず、隣接する接触材との間隔を一定に保持して長期間に亘って安定した浄化作用を行なうことができる。
【００１８】
また請求項２に係る汚水浄化装置の接触材支持具によれば、断面略Ｃ形状をなすフレーム係合部の外周の上下に、挿通孔を開孔した支持片を突設したので、上中下３段に横棒を組み合わせた大型の支持フレームの、中段の横棒に係合させて、上中下３段の横棒の間に２本の接触材を縦方向に配置する場合に好適である。
【図面の簡単な説明】
【図１】本発明の実施の一形態による接触材支持具の斜視図である。
【図２】図１に示す接触材支持具を取付けた汚水浄化装置の断面図である。
【図３】図２に示す接触材支持具に接触材を取付けた状態を示す斜視図である。
【図４】本発明の他の実施の形態による接触材支持具の斜視図である。
【図５】図４に示す接触材支持具を取付けた汚水浄化装置の断面図である。
【図６】本発明の他の実施の形態による断面四角形状の横棒に接触材支持具を係合させさせた状態を示す断面図である。
【図７】従来の汚水浄化装置を示す断面図である。
【図８】図７の横棒に接触材を取付けた状態を拡大して示す正面図である。
【符号の説明】
１    処理槽
２    汚水
３    流入口
４    排水口
５    曝気口
６    曝気手段
７    縦棒
８    横棒
９    支持フレーム
１０    接触材
１１    芯材
１２    突起
１５    接触材支持具
１６    フレーム係合部
１７    挿通孔
１８    支持片
【図１】
0003818727.tif 000002
【図２】
0003818727.tif 000003
【図３】
0003818727.tif 000004
【図４】
0003818727.tif 000005
【図５】
0003818727.tif 000006
【図６】
0003818727.tif 000007
【図７】
0003818727.tif 000008
【図８】
0003818727.tif 000009